(57)【特許請求の範囲】
【請求項１】
通信網を介してアクセスされた複数のＵＲＬを示すＵＲＬ情報を蓄積するＵＲＬ情報蓄積装置と、検索ウェブページに検索結果として表示されるＵＲＬの表示順の順位付けに用いるＵＲＬの評価値を算出する評価値算出装置とを用いる検索結果の順位付け方法であって、
前記ＵＲＬ情報のうち所定期間内にアクセスされた複数のＵＲＬを示すアクセス履歴情報を前記評価値算出装置が前記ＵＲＬ情報蓄積装置から取得するアクセス履歴取得ステップと、
前記アクセス履歴取得ステップにおいて取得された前記アクセス履歴情報に含まれる複数の通信セッションを前記評価値算出装置が特定する通信セッション特定ステップと、
前記通信セッション特定ステップにおいて特定された前記複数の通信セッションのそれぞれに含まれる一又は複数のＵＲＬのうち最も先にアクセスされた最先ＵＲＬを前記評価値算出装置が前記通信セッション毎に特定するＵＲＬ特定ステップと、
前記ＵＲＬ特定ステップにおいて特定された前記最先ＵＲＬについて前記評価値算出装置が集計する集計ステップと、
前記集計ステップにおいて得られた集計結果を含む評価値算出用情報に基づいて前記評価値を前記評価値算出装置が算出する評価値算出ステップと
を有する、ことを特徴とする検索結果の順位付け方法。
【請求項２】
検索ウェブページに検索結果として表示されるＵＲＬの表示順の順位付けに用いるＵＲＬの評価値を算出する評価値算出装置であって、
通信網を介してアクセスされた複数のＵＲＬを示すＵＲＬ情報を蓄積するＵＲＬ情報蓄積装置から、前記ＵＲＬ情報のうち所定期間内にアクセスされた複数のＵＲＬを示すアクセス履歴情報を取得するアクセス履歴取得手段と、
前記アクセス履歴取得手段によって取得された前記アクセス履歴情報に含まれる複数の通信セッションを特定する通信セッション特定手段と、
前記通信セッション特定手段によって特定された前記複数の通信セッションのそれぞれに含まれる一又は複数のＵＲＬのうち最も先にアクセスされた最先ＵＲＬを前記通信セッション毎に特定するＵＲＬ特定手段と、
前記ＵＲＬ特定手段によって特定された前記最先ＵＲＬについて集計する集計手段と、
前記集計手段によって得られた集計結果を含む評価値算出用情報に基づいて前記評価値を算出する評価値算出手段と
を備える、ことを特徴とする検索結果評価装置。
【請求項３】
前記通信セッション特定手段によって特定された前記複数の通信セッションのぞれぞれは、同一端末によって順次アクセスされた一連のＵＲＬから成る、ことを特徴とする請求項２に記載の検索結果評価装置。
【請求項４】
前記通信セッション特定手段は、前記通信セッションを構成する前記一連のＵＲＬを、前記アクセス履歴情報に含まれるリファラによって特定する、ことを特徴とする請求項２又は３に記載の検索結果評価装置。
【請求項５】
前記通信セッション特定手段によって特定された前記複数の通信セッションのぞれぞれは、所定時間以下の時間間隔をおいて順次アクセスされた一連のＵＲＬから成る、ことを特徴とする請求項２又は３に記載の検索結果評価装置。
【請求項６】
前記集計手段によって得られた前記集計結果は、前記ＵＲＬ特定手段によって特定された前記最先ＵＲＬの特定回数を示す、ことを特徴とする請求項２〜５の何れか一項に記載の検索結果評価装置。
【請求項７】
前記集計手段は、前記アクセス履歴情報に基づいて前記最先ＵＲＬにアクセスしたアクセス端末の総数を算出し、
前記評価値算出手段は、前記集計手段によって算出された前記アクセス端末の総数を更に含む前記評価値算出用情報に基づいて前記評価値を算出する、ことを特徴とする請求項２〜６の何れか一項に記載の検索結果評価装置。
【請求項８】
前記集計手段は、前記アクセス履歴情報に基づいて前記最先ＵＲＬのアクセス時間の平均値を算出し、
前記評価値算出手段は、前記集計手段によって算出された前記平均値を更に含む前記評価値算出用情報に基づいて前記評価値を算出する、ことを特徴とする請求項２〜７の何れか一項に記載の検索結果評価装置。
【発明の詳細な説明】
【技術分野】
【０００１】
本発明は、検索ウェブページに表示する検索結果の順位付け方法と、検索結果評価装置とに関する。
【背景技術】
【０００２】
近時、検索ウェブページに検索結果として表示するＵＲＬの表示順の順位付け（ランキング）が様々な基準に基づいて行われている。特許文献１にはユーザの検索サイトへのアクセス履歴やユーザが個別で保存しているブックマーク情報等に基づいてＵＲＬのランキングを行う技術が開示されている。
【特許文献１】特開２００５−２７６２１３号公報
【発明の開示】
【発明が解決しようとする課題】
【０００３】
上記の従来技術によるランキングは、アクセス履歴やユーザ保持情報（例えばブックマーク等）に基づいた結果である。しかし、アクセス履歴には、ランキングに反映させるには不適当な履歴（例えば、誤ってクリックしアクセスしてしまったＵＲＬ等）も含まれているので、正確なランキングを得るには、このような不適当な履歴を取り除く等の複雑な処理が必要となる。また、ブックマーク等のユーザ保持情報を用いる場合、このような情報を収集するための装置が新たに必要となり、システム構成が複雑となる。そこで本発明の目的は、複雑な処理や複雑なシステム構成を用いることなく検索結果の順位付けが可能な検索結果の順位付け方法と検索結果評価装置とを提供することである。
【課題を解決するための手段】
【０００４】
本発明の検索結果の順位付け方法は、通信網を介してアクセスされた複数のＵＲＬを示すＵＲＬ情報を蓄積するＵＲＬ情報蓄積装置と、検索ウェブページに検索結果として表示されるＵＲＬの表示順の順位付けに用いるＵＲＬの評価値を算出する評価値算出装置とを用いる検索結果の順位付け方法であって、上記ＵＲＬ情報のうち所定期間内にアクセスされた複数のＵＲＬを示すアクセス履歴情報を上記評価値算出装置が上記ＵＲＬ情報蓄積装置から取得するアクセス履歴取得ステップと、上記アクセス履歴取得ステップにおいて取得された上記アクセス履歴情報に含まれる複数の通信セッションを上記評価値算出装置が特定する通信セッション特定ステップと、上記通信セッション特定ステップにおいて特定された上記複数の通信セッションのそれぞれに含まれる一又は複数のＵＲＬのうち最も先にアクセスされた最先ＵＲＬを上記評価値算出装置が上記通信セッション毎に特定するＵＲＬ特定ステップと、上記ＵＲＬ特定ステップにおいて特定された上記最先ＵＲＬについて上記評価値算出装置が集計する集計ステップと、上記集計ステップにおいて得られた集計結果を含む評価値算出用情報に基づいて上記評価値を上記評価値算出装置が算出する評価値算出ステップとを有する、ことを特徴とする。
【０００５】
本発明の検索結果の順位付け方法によれば、アクセス履歴情報の通信セッションのうち、ユーザがブラウジングする動機が強く反映されていると考えられる最先ＵＲＬを用いて、検索結果の順位付け用の評価値が算出される。従って、ランキングを得るのに不適当な履歴をアクセス履歴から除く必要がない。そして、アクセス履歴情報のみを用いるので、ブックマーク等のユーザ保持情報を収集するための装置が不要となる。
【０００６】
本発明の評価値算出装置は、検索ウェブページに検索結果として表示されるＵＲＬの表示順の順位付けに用いるＵＲＬの評価値を算出する評価値算出装置であって、通信網を介してアクセスされた複数のＵＲＬを示すＵＲＬ情報を蓄積するＵＲＬ情報蓄積装置から、上記ＵＲＬ情報のうち所定期間内にアクセスされた複数のＵＲＬを示すアクセス履歴情報を取得するアクセス履歴取得手段と、上記アクセス履歴取得手段によって取得された上記アクセス履歴情報に含まれる複数の通信セッションを特定する通信セッション特定手段と、上記通信セッション特定手段によって特定された上記複数の通信セッションのそれぞれに含まれる一又は複数のＵＲＬのうち最も先にアクセスされた最先ＵＲＬを上記通信セッション毎に特定するＵＲＬ特定手段と、上記ＵＲＬ特定手段によって特定された上記最先ＵＲＬについて集計する集計手段と、上記集計手段によって得られた集計結果を含む評価値算出用情報に基づいて上記評価値を算出する評価値算出手段とを備える、ことを特徴とする。
【０００７】
本発明の評価値算出装置では、上記通信セッション特定手段によって特定された上記複数の通信セッションのぞれぞれは、同一端末によって順次アクセスされた一連のＵＲＬから成るのが好ましい。そして、上記通信セッション特定手段は、上記通信セッションを構成する前記一連のＵＲＬを、上記アクセス履歴情報に含まれるリファラによって特定してもよいし、上記通信セッション特定手段によって特定された上記複数の通信セッションのぞれぞれは、所定時間以下の時間間隔をおいて順次アクセスされた一連のＵＲＬから成るものであってもよい。
【０００８】
本発明の評価値算出装置では、上記集計手段によって得られた上記集計結果は、上記ＵＲＬ特定手段によって特定された上記最先ＵＲＬの特定回数を示す。
【０００９】
本発明の評価値算出装置では、上記集計手段は、上記アクセス履歴情報に基づいて上記最先ＵＲＬにアクセスしたアクセス端末の総数を算出し、上記評価値算出手段は、上記集計手段によって算出された上記アクセス端末の総数を更に含む上記評価値算出用情報に基づいて上記評価値を算出するのが好ましく、上記集計手段は、上記アクセス履歴情報に基づいて上記最先ＵＲＬのアクセス時間の平均値を算出し、上記評価値算出手段は、上記集計手段によって算出された上記平均値を更に含む上記評価値算出用情報に基づいて上記評価値を算出するのが好ましい。
【００１０】
本発明の評価値算出装置によれば、アクセス履歴情報の通信セッションのうち、ユーザがブラウジングする動機が強く反映されていると考えられる最先ＵＲＬを用いて、検索結果の順位付け用の評価値が算出される。従って、ランキングを得るのに不適当な履歴をアクセス履歴から除く必要がない。そして、アクセス履歴情報のみを用いるので、ブックマーク等のユーザ保持情報を収集するための装置が不要となる。
【発明の効果】
【００１１】
本発明によれば、複雑な処理や複雑なシステム構成を用いることなく検索結果の順位付けが可能な検索結果の順位付け方法と検索結果評価装置とを提供できる。
【発明を実施するための最良の形態】
【００１２】
以下、図面を参照して、本発明に係る好適な実施形態について詳細に説明する。なお、図面の説明において、可能な場合には、同一要素には同一符号を付し、重複する説明を省略する。図１は、実施形態に係る情報検索システム１の構成を示す図である。情報検索システム１は、クライアント端末２、ＵＲＬ情報取得装置３、ＵＲＬ情報蓄積装置４、検索結果評価装置５及び検索装置６を備える。
【００１３】
クライアント端末２は、ＰＣや携帯電話等の通信端末であり、通信網Ｌを介してインターネットが利用可能である。ＵＲＬ情報取得装置３は、インターネットに接続されており、クライアント端末２のアクセスした複数のＵＲＬを示すＵＲＬ情報を取得するサーバである。ＵＲＬ情報取得装置３は、クライアント端末２をインターネットに接続するプロバイダ等のプロキシサーバであってもよいし、プロバイダには属さないＵＲＬ情報取得用の専用サーバであってもよい。ＵＲＬ情報蓄積装置４は、ＵＲＬ情報取得装置３によって取得されたＵＲＬ情報を格納するサーバである。なお、ＵＲＬ情報蓄積装置４は、ＵＲＬ情報を、ＵＲＬ情報取得装置３からではなく、クライアント端末２から直接取得する構成であってもよい。
【００１４】
検索結果評価装置５は、ＵＲＬ情報蓄積装置４に格納されているＵＲＬ情報を用いて、検索装置６からクライアント端末２に提供される検索ウェブページに検索結果として表示されるＵＲＬの表示順の順位付けに用いるＵＲＬの評価値を算出するサーバである。なお、検索結果評価装置５の構成については後に詳述する。
【００１５】
検索装置６は、クライアント端末２からの検索クエリに応じて情報検索をインターネット上で行い、この情報検索による検索結果を含む検索ウェブページを作成する検索エンジンである。この検索ウェブページは、クライアント端末２のＬＣＤ等の表示画面に表示される。検索装置６は、評価値算出用情報格納装置６ａ、評価値算出部６ｂ及び検索結果出力部６ｃを有する。評価値算出用情報格納装置６ａは、検索結果評価装置５によって作成された評価値情報Ｄ５（図９を参照）を検索結果評価装置５から取得し、この取得した評価値情報Ｄ５をメモりに格納する。評価値算出部６ｂは、クライアント端末２からの検索クエリに応じて情報検索（ＵＲＬの検索）をインターネット上で行い、検索された複数のＵＲＬに対し、評価値算出用情報格納装置６ａに格納された評価値情報Ｄ５を用いて検索ウェブページに表示するＵＲＬの表示順を算出する。検索結果出力部６ｃは、評価値算出部６ｂによって算出されたＵＲＬの表示順に基づいて検索ウェブページを作成し、この作成した検索ウェブページをクライアント端末２に送信する。
【００１６】
次に、図２及び図３を参照して、検索結果評価装置５の構成を説明する。検索結果評価装置５は、図２に示すように、物理的には、ＣＰＵ５ａ、ＲＡＭ５ｂ、ＲＯＭ５ｃ、通信装置５ｄ及び記録装置５ｅを有しており、これらはバス５ｆに接続されている。ＣＰＵ５ａは、ＲＯＭ５ｃや記録装置５ｅ等の内蔵メモリに格納された所定のコンピュータソフトウェア（図４に示す検索結果評価装置５の行う処理を実行するためのコンピュータプログラム等を含む）をＲＡＭ５ｂにロードして実行することにより、検索結果評価装置５を統括的に制御する。通信装置５ｄは、通信網Ｌ等を介してＵＲＬ情報蓄積装置４や検索装置６と通信を行うためのインターフェースを有する。記録装置５ｅは、書き込み／読み出し自在なメモリであり、図５〜図９にそれぞれ示すアクセス履歴情報Ｄ１〜評価値情報Ｄ５を格納する。
【００１７】
検索結果評価装置５は、図３に示すように、機能的には、アクセス履歴取得部５１、通信セッション特定部５２、ＵＲＬ特定部５３、集計部５４及び評価値算出部５５を有する。これらのアクセス履歴取得部５１〜評価値算出部５５は、ＣＰＵ５ａがＲＯＭ５ｃや記録装置５ｅ等に格納された上記コンピュータソフトウェアを実行し、図２に示す検索結果評価装置５の各構成部を動作させることにより実現される機能である。ＣＰＵ５ａは、上記コンピュータソフトウェアを実行することにより（特に、アクセス履歴取得部５１〜評価値算出部５５を用いて）、図４に示す検索結果評価装置５の行う処理を実行する。
【００１８】
アクセス履歴取得部５１は、ＵＲＬ情報蓄積装置４に蓄積されたＵＲＬ情報のうち所定期間Ｔ１内（本実施形態においては、例えば、２００７年９月１日１８時〜２２時までの間）にクライアント端末２等の複数のクライアント端末のそれぞれによってアクセスされた複数のＵＲＬを示すアクセス履歴情報Ｄ１（図５）をＵＲＬ情報蓄積装置４から取得する。図５に示すアクセス履歴情報Ｄ１には、期間Ｔ１内において、クライアント端末２（「１０００」のユーザＩＤに対応）と他のクライアント端末（「１００１」のユーザＩＤに対応）とによってアクセスされた複数のＵＲＬが含まれている。
【００１９】
通信セッション特定部５２は、アクセス履歴取得部５１によって取得されたアクセス履歴情報Ｄ１に含まれる複数の通信セッションを特定する。図５に示すアクセス履歴情報Ｄ１には、第１〜第３の通信セッションが含まれている。第１の通信セッションは、２００７年９月１日の時刻１８：００：１４以降にユーザＩＤ「１０００」のクライアント端末２によりアクセスされた複数のＵＲＬから成る通信セッションである。第２の通信セッションは、２００７年９月１日の時刻２１：００：２２以降にユーザＩＤ「１０００」のクライアント端末２によりアクセスされた複数のＵＲＬから成る通信セッションである。第３の通信セッションは、２００７年９月１日の時刻１８：００：１７以降にユーザＩＤ「１００１」の他クライアント端末によりアクセスされた一のＵＲＬから成る通信セッションである。
【００２０】
上記の第１〜第３の通信セッションのぞれぞれは、同一端末（第１及び第２の通信セッションにおいてはユーザＩＤ「１０００」のクライアント端末２であり、第３の通信セッションにおいてはユーザＩＤ「１００１」のクライアント端末である）によって順次アクセスされた一連のＵＲＬから成るものであり、且つ、所定時間Ｔ２以下（例えば、３０分以下であり、本実施形態においては以下同様とする）の時間間隔をおいて順次アクセスされた一連のＵＲＬから成るものであるが、いずれか一方のみから成るものであってもよい。また、これとは別に、通信セッション特定部５２によって特定された第１〜第３の通信セッションのぞれぞれは、同一端末（第１及び第２の通信セッションにおいてはユーザＩＤ「１０００」のクライアント端末２であり、第３の通信セッションにおいてはユーザＩＤ「１００１」のクライアント端末である）によって順次アクセスされた一連のＵＲＬから成るものであり、且つ、アクセス履歴情報Ｄ１に含まれるリファラによって特定した一連のＵＲＬから成るものであってもよいが、何れか一方から成るものであってもよい。
【００２１】
ＵＲＬ特定部５３は、通信セッション特定部５２によって特定された第１〜第３の通信セッションのそれぞれに含まれる一又は複数のＵＲＬのうち最も先にアクセスされた最先ＵＲＬを通信セッション毎に特定する。ＵＲＬ特定部５３は、図６に示すように、この通信セッション毎の最先ＵＲＬを示す通信セッション情報Ｄ２を作成する。図６の通信セッション情報Ｄ２に示すように、第１の通信セッション（通信セッションＩＤ「１」の通信セッション）における最先ＵＲＬは「http://www.XXX.ne.jp/AAA.htm」であり、第２の通信セッション（通信セッションＩＤ「２」の通信セッション）における最先ＵＲＬは「http://www.YYY.co.jp/BBB.htm」であり、第３の通信セッション（通信セッションＩＤ「３」の通信セッション）における最先ＵＲＬは「http://www.ZZZ.co.jp/CCC.htm」である。
【００２２】
集計部５４は、ＵＲＬ特定部５３によって特定された最先ＵＲＬの数を集計する。集計部５４によって得られた集計結果は、ＵＲＬ特定部５３によって特定された最先ＵＲＬの特定回数を示す。集計部５４は、このＵＲＬ特定部５３によって特定された最先ＵＲＬの特定回数を示す最先ＵＲＬ情報Ｄ３（図７を参照）を作成する。最先ＵＲＬ情報Ｄ３は、図７に示すように、第１〜第３の通信セッションにおけるそれぞれの最先ＵＲＬの特定回数が何れも１回であることを示している。そして、集計部５４は、アクセス履歴情報Ｄ１に基づいて、最先ＵＲＬにアクセスした端末（アクセス端末）の総数（図７に示すパラメータＡ）や、最先ＵＲＬのアクセス時間の平均値（図７に示すパラメータＢ）を算出する。集計部５４は、このようなパラメータＡと、パラメータＢと、最先ＵＲＬの特定回数（最先ＵＲＬ情報Ｄ３）とを用いて、アクセス履歴情報Ｄ１の各ＵＲＬ毎に示す評価値算出用情報Ｄ４（図８を参照）を作成する。
【００２３】
なお、集計部５４は、パラメータＡを算出しパラメータＢを算出しない構成（この場合、評価値算出用情報Ｄ４には、パラメータＡと最先ＵＲＬの特定回数のみが含まれる）であってもよいし、パラメータＢを算出しパラメータＡを算出しない構成（この場合、評価値算出用情報Ｄ４には、パラメータＢと最先ＵＲＬの特定回数のみが含まれる）であってもよい。また、パラメータＡ，Ｂ以外の他のパラメータを用いてもよいが、このようなパラメータＡ，Ｂ等は、何れもアクセス履歴情報Ｄ１から得られる情報である。
【００２４】
評価値算出部５５は、集計部５４によって作成された評価値算出用情報Ｄ４に基づき、アクセス履歴情報Ｄ１の各ＵＲＬに対する評価値を算出する。評価値算出部５５は、この評価値を示す評価値情報Ｄ５（図９を参照）を作成する。評価値情報Ｄ５に示す評価値は、例えば図９に示すように、パラメータＡの値に５を乗じた値と、パラメータＢの値に１０を乗じた値と、最先ＵＲＬの特定回数に５０を乗じた値とをＵＲＬ毎に加えあわせた値であってもよいし、他の算出方法によって算出される値であってもよい。
【００２５】
次に、検索結果評価装置５の動作を図４を参照して説明する。まず、アクセス履歴取得部５１は、ＵＲＬ情報蓄積装置４に蓄積されたＵＲＬ情報のうち期間Ｔ１内にクライアント端末２等の複数のクライアント端末のそれぞれによってアクセスされた複数のＵＲＬを示すアクセス履歴情報Ｄ１（図５）をＵＲＬ情報蓄積装置４から取得する（ステップＳ１）。ステップＳ１の後、通信セッション特定部５２は、ステップＳ１において取得されたアクセス履歴情報Ｄ１に含まれる複数の通信セッション（第１〜第３の通信セッション）を特定する（ステップＳ２）。
【００２６】
ステップＳ２の後、ＵＲＬ特定部５３は、ステップＳ２において特定された第１〜第３の通信セッションのそれぞれに含まれる一又は複数のＵＲＬのうち最も先にアクセスされた最先ＵＲＬを通信セッション毎に特定し、この特定結果（通信セッション毎の最先ＵＲＬ）を示す通信セッション情報Ｄ２を作成する（ステップＳ３）。ステップＳ３の後、集計部５４は、ステップＳ３において特定された最先ＵＲＬの数を集計し、この集計結果を示す最先ＵＲＬ情報Ｄ３及び評価値算出用情報Ｄ４を作成する（ステップＳ４）。ステップＳ４の後、評価値算出部５５は、ステップＳ４において作成された評価値算出用情報Ｄ４に基づき、アクセス履歴情報Ｄ１の各ＵＲＬに対する評価値を算出し、この評価値を示す評価値情報Ｄ５を作成する（ステップＳ５）。
【００２７】
次に、実施形態に係る検索結果評価装置５の作用・効果を説明する。検索結果評価装置５は、検索ウェブページに検索結果として表示されるＵＲＬの表示順の順位付けに用いるＵＲＬの評価値を算出する装置である。検索結果評価装置５は、アクセス履歴取得部５１、通信セッション特定部５２、ＵＲＬ特定部５３、集計部５４及び評価値算出部５５を備える。アクセス履歴取得部５１は、通信網Ｌを介してアクセスされた複数のＵＲＬを示すＵＲＬ情報を蓄積するＵＲＬ情報蓄積装置４から、このＵＲＬ情報のうち期間Ｔ１内にアクセスされた複数のＵＲＬを示すアクセス履歴情報Ｄ１を取得する。通信セッション特定部５２は、アクセス履歴取得部５１によって取得されたアクセス履歴情報Ｄ１に含まれる複数の通信セッション（第１〜第３の通信セッション）を特定する。ＵＲＬ特定部５３は、通信セッション特定部５２によって特定された第１〜第３の通信セッションのそれぞれに含まれる一又は複数のＵＲＬのうち最も先にアクセスされた最先ＵＲＬを通信セッション毎に特定し、この特定結果（通信セッション毎の最先ＵＲＬ）を示す通信セッション情報Ｄ２を作成する。集計部５４は、ＵＲＬ特定部５３によって特定された最先ＵＲＬの数を集計し、この集計結果を示す最先ＵＲＬ情報Ｄ３と評価値算出用情報Ｄ４とを作成する。評価値算出部５５は、集計部５４によって得られた最先ＵＲＬ情報Ｄ３を含む評価値算出用情報Ｄ４に基づいて上記評価値を算出し、この評価値を示す評価値情報Ｄ５を作成する。
【００２８】
そして、通信セッション特定部５２によって特定された第１〜第３の通信セッションのぞれぞれは、同一端末（第１及び第２の通信セッションにおいてはユーザＩＤ「１０００」のクライアント端末２であり、第３の通信セッションにおいてはユーザＩＤ「１００１」のクライアント端末である）によって順次アクセスされた一連のＵＲＬから成るものであり、且つ、所定時間Ｔ２以下の時間間隔をおいて順次アクセスされた一連のＵＲＬから成るものであるが、いずれか一方から成るものであってもよい。また、これとは別に、通信セッション特定部５２によって特定された第１〜第３の通信セッションのぞれぞれは、同一端末（第１及び第２の通信セッションにおいてはユーザＩＤ「１０００」のクライアント端末２であり、第３の通信セッションにおいてはユーザＩＤ「１００１」のクライアント端末である）によって順次アクセスされた一連のＵＲＬから成るものであり、且つ、アクセス履歴情報Ｄ１に含まれるリファラによって特定した一連のＵＲＬから成るものであってもよいが、何れか一方から成るものであってもよい。
【００２９】
そして、集計部５４によって得られた最先ＵＲＬ情報Ｄ３は、ＵＲＬ特定部５３によって特定された最先ＵＲＬの特定回数を示す。
【００３０】
更に、集計部５４が、アクセス履歴情報Ｄ１に基づいて最先ＵＲＬにアクセスしたアクセス端末の総数（パラメータＡ）を算出し、評価値算出部５５が、このアクセス端末の総数（パラメータＡ）を更に含む評価値算出用情報Ｄ４に基づいて評価値を算出し、この評価値を示す評価値情報Ｄ５を作成してもよいし、集計部５４が、アクセス履歴情報Ｄ１に基づいて最先ＵＲＬのアクセス時間の平均値（パラメータＢ）を算出し、評価値算出部５５が、この平均値（パラメータＢ）を更に含む評価値算出用情報Ｄ４に基づいて評価値を算出し、この評価値を示す評価値情報Ｄ５を作成してもよい。また、集計部５４が、パラメータＡとパラメータＢとを算出し、評価値算出部５５が、パラメータＡとパラメータＢとを含む評価値算出用情報Ｄ４に基づいて評価値を算出し、この評価値を示す評価値情報Ｄ５を作成してもよい。なお、評価値算出用情報Ｄ４や評価値情報Ｄ５等に示す最先ＵＲＬの特定回数と、パラメータＡ，Ｂとは、期間Ｔ１内の値である。
【００３１】
上述した検索結果評価装置５によれば、実際にアクセスされたＵＲＬから成るアクセス履歴情報Ｄ１に含まれる通信セッション（第１〜第３の通信セッション等）のうち、ユーザがブラウジングする動機が強く反映されていると考えられる最先ＵＲＬを用いて、検索結果の順位付け用の評価値が算出される。従って、ランキングに反映させるには不適当な履歴をアクセス履歴情報Ｄ１から除くための複雑な処理は必要がなく、更に、アクセス履歴情報Ｄ１のみを用いるので、ブックマーク等のユーザ保持情報を収集するための装置が不要となる。
【図面の簡単な説明】
【００３２】
【図１】実施形態に係る情報検索システムの構成を示す図である。
【図２】実施形態に係る検索結果評価装置の構成を示す図である。
【図３】実施形態に係る検索結果評価装置の構成を示す図である。
【図４】実施形態に係る検索結果評価装置の動作を説明するためのフローチャートである。
【図５】実施形態に係るアクセス履歴情報の一例を示す図である。
【図６】実施形態に係る通信セッション情報の一例を示す図である。
【図７】実施形態に係る最先ＵＲＬ情報の一例を示す図である。
【図８】実施形態に係る評価値算出用情報の一例を示す図である。
【図９】実施形態に係る評価値情報の一例を示す図である。
【符号の説明】
【００３３】
１…情報検索システム、２…クライアント端末、３…ＵＲＬ情報取得装置、４…ＵＲＬ情報蓄積装置、５…検索結果評価装置、５１…アクセス履歴取得部、５２…通信セッション特定部、５３…ＵＲＬ特定部、５４…集計部、５５…評価値算出部、５ａ…ＣＰＵ、５ｂ…ＲＡＭ、５ｃ…ＲＯＭ、５ｄ…通信装置、５ｅ…記録装置、５ｆ…バス、６…検索装置、６ａ…評価値算出用情報格納装置、６ｂ…評価値算出部、Ｄ１…アクセス履歴情報、Ｄ２…通信セッション情報、Ｄ３…最先ＵＲＬ情報、Ｄ４…評価値算出用情報、Ｄ５…評価値情報、Ｌ…通信網
【図１】
0005112176.tif 000002
【図２】
0005112176.tif 000003
【図３】
0005112176.tif 000004
【図４】
0005112176.tif 000005
【図５】
0005112176.tif 000006
【図６】
0005112176.tif 000007
【図７】
0005112176.tif 000008
【図８】
0005112176.tif 000009
【図９】
0005112176.tif 000010